(57)【要約】【課題】樹脂製の框材と金属製の補強材とを有する建具材をネジで連結する場合に、建具材の熱変形を抑えて開閉の不具合を低減できる建具を提供すること。【解決手段】建具は、合成樹脂製の二本の縦框３０と、縦框３０間に配置される合成樹脂製の上框１０および下框と、縦框３０を補強する金属製の第一補強材８０と、上框１０を補強する金属製の第二補強材６０とを備える。縦框３０は、第一補強材８０を第二補強材６０に対して露出させる開口部３４１を有する。第二補強材６０は、開口部３４１を介して第一補強材８０に当接されてネジ１００で連結される。第二補強材６０と、第二補強材６０に対して縦框３０の長手方向に対向する開口部３４１の底面３４１Ａとの間には、隙間３４２が設けられている。【選択図】図７
2018048480.tif 000002
【特許請求の範囲】
【請求項１】
合成樹脂製の少なくとも二本の第一框材と、
前記第一框材間に配置される合成樹脂製の少なくとも二本の第二框材と、
前記第一框材を補強する金属製の第一補強材と、
前記第二框材を補強する金属製の第二補強材と、を備え、
前記第一框材は、前記第一補強材を前記第二補強材に対して露出させる開口部を有し、
前記第二補強材は、前記開口部を介して前記第一補強材に当接されてネジで連結され、
前記第二補強材と、前記第二補強材に対して前記第一框材の長手方向に対向する前記開口部の内周面との間には、隙間が設けられている
ことを特徴とする建具。
【請求項２】
請求項１に記載の建具において、
前記第一框材は、前記第一補強材に対して少なくとも１箇所で固定され、
前記第一框材の長手方向に沿った前記隙間の寸法は、前記第一框材および前記第一補強材の固定箇所において前記開口部に最も近い固定箇所から前記開口部までの長さと、前記第一框材の熱膨張係数と、設定される温度変化量とで求められる熱伸縮量に基づいて設定されている
ことを特徴とする建具。
【請求項３】
請求項１または請求項２に記載の建具において、
前記第二框材には、前記第二框材の長手方向に沿って配置された第二タイト材が設けられ、
前記第一框材または前記第一框材の小口に装着された小口部品には、前記第二タイト材に連続する第一タイト材が設けられ、
前記第一タイト材および前記第二タイト材の前記第一框材の長手方向に沿った幅寸法は、前記第一框材の熱伸縮量よりも大きい
ことを特徴とする建具。
【請求項４】
請求項１から請求項３のいずれか一項に記載の建具において、
前記第一框材は、縦框であり、
前記第二框材は、上框および下框であり、
前記縦框の下端部は、前記第一補強材にネジで固定され、
前記縦框の上端部側に設けられた前記開口部は、上方が開口された切欠溝で形成され、
前記切欠溝の底面と前記上框に設けられた前記第二補強材の下面との隙間寸法は、前記縦框が熱で伸長した際の前記切欠溝の底面の移動量よりも大きい
ことを特徴とする建具。
【発明の詳細な説明】
【技術分野】
【０００１】
本発明は、樹脂製の框材を矩形枠状に枠組みし、ガラス等の面材を保持した障子などの建具に関する。
【背景技術】
【０００２】
従来より、上框、下框、左右の縦框を樹脂製の押出形材で構成し、各框材を矩形枠状に接合して、ガラス等の面材を装着した樹脂製障子が知られている。この樹脂製障子の框材の接合方法には、主に次の２種類が存在する。
【０００３】
第１の方法は、框材の長手方向に対して４５度の角度で切断した框材の小口を、ヒーターで溶かし、小口同士を突き合わせて溶着する方法である（例えば特許文献１参照）。
第２の方法は、横框および縦框に金属製の補強筒状体を嵌挿し、横框の補強筒状体にビスホールを形成し、縦框の補強筒状体に横框の補強筒状体を当接させてネジで締め付けて接合する方法である（例えば特許文献２の第４図参照）。
【先行技術文献】
【特許文献】
【０００４】
【特許文献１】特許第４２２９２８６号公報
【特許文献２】実公昭６０−４０７９８号公報
【発明の概要】
【発明が解決しようとする課題】
【０００５】
第１の方法は、溶着で各框材を接合するため、接合強度が高く、耐風圧などの性能も高くなる利点がある一方で、框材を溶着した際にバリが生じたり、框材表面の色がはげたりするため、バリ取り作業やタッチアップ工程が必要となる。
また、框材を溶着して矩形枠状に接合後、押縁を用いてガラスを装着する必要があり、部材点数や組立工数が増加し、組立ラインの自動化も困難となる。さらに、４５度の角度で切断した框材を溶着するために、上下框および縦框の見付け寸法は同一にする必要があり、また、溶着部の強度はバラツキが大きいため、各框材の見付け寸法が大きくなる傾向にあり、框材がスリムなデザインの障子を提供することが難しかった。
【０００６】
第２の方法は、縦框および横框をネジで連結しているため、ガラス等の面材を配置しながら各框を連結でき、押縁を設ける必要が無い点や、障子の組立後であっても、ネジを外すことで、各框を個別に交換できるという利点がある。
しかしながら、直射日光が当たることなどで温度環境が変化し、樹脂製の框材の表面温度が変化すると、框材が伸縮して反り変形が生じる課題がある。前記特許文献２では、横框の気密材取付溝が縦框の係止縁上に係止されるため、例えば、縦框が熱で伸長した場合、縦框の上下両端部は拘束され、縦框の部材表面で熱変形が顕著に現れる。このため、框材が反り変形し、例えば、窓枠側に接触して障子の開閉に不具合が生じる可能性がある。
【０００７】
本発明の目的は、樹脂製の框材と金属製の補強材とを有する建具材をネジで連結でき、建具材の熱変形を抑えることができる建具を提供することにある。
【課題を解決するための手段】
【０００８】
本発明の建具は、合成樹脂製の少なくとも二本の第一框材と、前記第一框材間に配置される合成樹脂製の少なくとも二本の第二框材と、前記第一框材を補強する金属製の第一補強材と、前記第二框材を補強する金属製の第二補強材と、を備え、前記第一框材は、前記第一補強材を前記第二補強材に対して露出させる開口部を有し、前記第二補強材は、前記開口部を介して前記第一補強材に当接されてネジで連結され、前記第二補強材と、前記第二補強材に対して前記第一框材の長手方向に対向する前記開口部の内周面との間には、隙間が設けられていることを特徴とする。
【０００９】
本発明によれば、第一框材を補強する第一補強材と、第二框材を補強する第二補強材とをネジで連結して矩形枠状に接合しているので、框材を溶着する場合の課題が生じることがない。また、第一補強材と第二補強材との間に框材の樹脂部分が挟まれている場合は、樹脂が潰されたり、経年劣化した場合に強度が低下するおそれがあるが、本発明では、第一框材の開口部を介して、各補強材同士を直接当接させてネジで連結しているため、接合強度の低下を防止できる。
第一補強材および第二補強材は、開口部を介してネジで直接連結されるため、温度環境の変化によって第一框材が熱伸縮した際に、前記ネジが第一框材を拘束することがなく、第一框材の反り変形が生じることを防止できる。その上、前記第二補強材と、前記第二補強材に対して前記第一框材の長手方向に対向する前記開口部の内周面との間に、隙間を設けているので、第一框材が長手方向に沿って熱伸縮した場合に、その熱伸縮量が前記隙間の寸法以下であれば、第一框材が第二補強材にぶつかって熱伸縮が阻害されて反り変形が生じることも防止できる。また、熱伸縮量が前記隙間の寸法以上であっても、隙間が設けられていない場合に比べると、第一框材の反り変形を小さくできる。したがって、障子の開閉時の不具合も軽減できる。
【００１０】
本発明の建具において、前記第一框材は、前記第一補強材に対して少なくとも１箇所で固定され、前記第一框材の長手方向に沿った前記隙間の寸法は、前記第一框材および前記第一補強材の固定箇所において前記開口部に最も近い固定箇所から前記開口部までの長さと、前記第一框材の熱膨張係数と、設定される温度変化量とで求められる熱伸縮量に基づいて設定されていることが好ましい。
【００１１】
本発明によれば、温度変化に伴う第一框材の熱伸縮量に応じて前記隙間寸法を設定できるため、第一框材が長手方向に沿って熱伸縮した場合に、その熱伸縮量が前記隙間の寸法以下となるように設定でき、第一框材が第二補強材にぶつかって熱伸縮が阻害されて反り変形が生じることも確実に防止できる。また、隙間の寸法を必要最小限にすることができ、開口部から露出する第一補強材の露出面積も小さくできて意匠性を向上できる。
【００１２】
本発明の建具において、前記第二框材には、前記第二框材の長手方向に沿って配置された第二タイト材が設けられ、前記第一框材または前記第一框材の小口に装着された小口部品には、前記第二タイト材に連続する第一タイト材が設けられ、前記第一タイト材および前記第二タイト材の前記第一框材の長手方向に沿った幅寸法は、前記第一框材の熱伸縮量よりも大きいことが好ましい。
【００１３】
ここで、第一框材の小口に装着された小口部品とは、例えば、引違い窓などのスライディング系の窓においてレールを案内する摺動片や、たてすべり出し窓、内倒し窓等のスイング系の窓において小口を塞ぐ小口キャップなどである。また、第一タイト材および第二タイト材が連続するとは、各タイト材の端面同士を接触させて各タイト材をつなげて配置することである。
本発明によれば、第一框材が熱伸縮した場合、第一タイト材は第一框材の長手方向（伸縮方向）に移動する。この際、第一タイト材および第二タイト材の第一框材の長手方向の幅寸法が、第一框材の熱伸縮量つまり第一タイト材の移動量よりも大きいため、第一タイト材および第二タイト材の端面の少なくとも一部は接触状態を維持できる。このため、第一タイト材および第二タイト材が連続する状態を維持でき、第一框材および第二框材間で途切れないタイト構造を構築でき、水密性能や気密性能の低下を防止できる。
【００１４】
本発明の建具において、前記第一框材は、縦框であり、前記第二框材は、上框および下框であり、前記縦框の下端部は、前記第一補強材にネジで固定され、前記縦框の上端部側に設けられた前記開口部は、上方が開口された切欠溝で形成され、前記切欠溝の底面と前記上框に設けられた第二補強材の下面との隙間寸法は、前記縦框が熱で伸長した際の前記切欠溝の底面の移動量よりも大きいことが好ましい。
【００１５】
本発明によれば、第一框材と第一補強材とを下端部側でネジ止めしているので、第一框材が熱伸縮した場合には、第一框材の上端部が上下に移動する。このため、第一框材は、利用者の目が届きにくい箇所で伸縮し、第一タイト材および第二タイト材の位置がずれていても目立たなくできる。
また、縦框間に上框、下框が配置された縦勝ちの障子において、縦框の反り変形を防止できる。特に、縦框が熱で伸長した際の切欠溝の底面の移動量に比べて、第二補強材と前記底面との隙間寸法を大きくしているので、縦框が伸長しても切欠溝の底面が第二補強材に当接することがなく、開口部が第二補強材に干渉することを確実に防止できる。このため、テラス戸のように、縦寸法の大きな障子においても反り変形を防止できる。
【発明の効果】
【００１６】
本発明の建具によれば、樹脂製の框材と金属製の補強材とを有する建具材をネジで連結する場合に、建具材の熱変形を抑えることができる。
【図面の簡単な説明】
【００１７】
【図１】本発明の実施形態に係る引違い窓の内観姿図。
【図２】前記引違い窓の外障子の内観姿図。
【図３】前記外障子の縦断面図。
【図４】前記外障子の横断面図。
【図５】前記外障子の戸先側の縦框と上框との接合部分を示す分解斜視図。
【図６】前記縦框と上框との接合部分の要部を示す正面図。
【図７】前記縦框と上框との接合部分の要部を示す断面図。
【図８】前記縦框と上框との接合部分の要部を示す断面図。
【発明を実施するための形態】
【００１８】
［本実施形態の構成］
以下、本発明の実施形態を図面に基づいて説明する。
本実施形態は、本発明の建具を引違い窓の障子に用いたものである。すなわち、図１に示すように、引違い窓１は、窓枠２と、本発明の建具である障子３，４とを備えている。障子３は外障子とされ、障子４は内障子とされる。なお、窓枠２は、従来から用いられているものであるため、説明を省略する。
【００１９】
障子３，４は、図１、２に示すように、上框１０、下框２０、縦框３０（戸先框）、縦框４０（召合せ框）および面材であるガラスパネル５を框組みしてそれぞれ構成されている。上框１０、下框２０、縦框３０、４０は、ガラスパネル５の四周縁部にそれぞれ配置されている。本実施形態のガラスパネル５は、図３，４に示すように、複層ガラスによって構成されているが、単板のガラスでもよいし、３枚以上のガラスを備えて構成されたものでもよく、求められる断熱性能などに応じて選択される。
【００２０】
障子３，４は、略同じ構成であるため、以下、障子３を例に説明する。なお、図３は、図２のＡ−Ａ線に沿った縦断面図であり、図４は図２のＢ−Ｂ線に沿った横断面図である。図３，４は、図を見やすくするためにハッチングを省略している。
障子３は、図２〜４に示すように、第一框材である縦框３０、４０と、第二框材である上框１０および下框２０とを備えている。
上框１０は、左右に所定間隔離れて配置された縦框３０、４０の上端間に配置され、下框２０は、縦框３０、４０の下端間に配置されている。
【００２１】
［上框］
上框１０は、合成樹脂製の押出形材によって構成され、図３に示すように、屋外見付け片部１１と、屋内見付け片部１２と、外周側見込み片部１３と、内周側見込み片部１４とを有している。また、上框１０には、中空部（第二中空部）１５と、上レール６が配置される溝部１６と、ガラスパネル５を保持するガラス保持溝１７とが形成されている。
【００２２】
外周側見込み片部１３および内周側見込み片部１４は、屋外見付け片部１１および屋内見付け片部１２の上下方向の中間位置で、屋外見付け片部１１および屋内見付け片部１２間を連結している。
第二中空部１５は、屋外見付け片部１１、屋内見付け片部１２、外周側見込み片部１３、内周側見込み片部１４で囲まれた空間で構成される。
溝部１６は、外周側（上方）に開口して、窓枠２に設けられた上レール６が配置される溝部であり、屋外見付け片部１１、屋内見付け片部１２、外周側見込み片部１３により形成される。溝部１６に面する屋外見付け片部１１および屋内見付け片部１２の上端部には、モヘア等で構成されて上レール６に接触可能なタイト材（第二タイト材）１８が装着されている。
ガラス保持溝１７は、内周側（下方）に開口する溝部であり、屋外見付け片部１１、屋内見付け片部１２、内周側見込み片部１４によって形成される。ガラス保持溝１７には、ガラスパネル５の上端部が保持される。
【００２３】
［上框の補強材］
上框１０の第二中空部１５には、補強材（第二補強材）６０が挿入されている。第二補強材６０は、アルミ等の金属製の押出形材であり、ビスホール６１が一体に形成されている。
第二補強材６０は、第二中空部１５内に配置されて上框１０を補強可能な形状とされている。
第二補強材６０は、図２、３に示すように、内周側見込み片部１４から第二補強材６０にねじ込まれたネジ６５によって、上框１０に固定されている。本実施形態では、ネジ６５は、第二補強材６０の左右両端部の近傍の２箇所に設けられているが、ネジ６５の本数は上框１０の寸法などによって適宜設定すればよい。
【００２４】
［下框］
下框２０は、合成樹脂製の押出形材によって構成され、図３に示すように、上框１０と同様に、屋外見付け片部２１と、屋内見付け片部２２と、外周側見込み片部２３と、内周側見込み片部２４とを有している。第二框材である下框２０には、上框１０と同様に、第二中空部２５と、下レール７が配置される溝部２６と、ガラスパネル５を保持するガラス保持溝２７とが形成されている。
第二中空部２５は、屋外見付け片部２１、屋内見付け片部２２、外周側見込み片部２３、内周側見込み片部２４で囲まれた空間によって形成される。
溝部２６は、外周側（下方）に開口して、窓枠２に設けられた下レール７が配置される溝部であり、屋外見付け片部２１、屋内見付け片部２２、外周側見込み片部２３により形成される。屋外見付け片部２１、屋内見付け片部２２の下端部には、モヘアなどで構成されて下レール７に接触可能なタイト材（第二タイト材）２８が装着されている。
ガラス保持溝２７は、内周側（上方）に開口する溝部であり、屋外見付け片部２１、屋内見付け片部２２、内周側見込み片部２４によって形成される。ガラス保持溝２７には、ガラスパネル５の下端部が保持される。
【００２５】
下框２０には、戸車装置５０が装着されている。戸車装置５０は、下框２０の第二中空部２５に配置される装置本体５１と、装置本体５１に対して調整ネジ５２によって上下位置を調整可能に設けられた戸車５３とを備えている。
このため、障子３、４は、上框１０の溝部１６に配置された上レール６で案内され、下框２０の戸車５３が下レール７上を転動することで、上レール６、下レール７に沿って移動される。
【００２６】
［下框の補強材］
下框２０の第二中空部２５には、補強材（第二補強材）７０が配置されている。第二補強材７０は、アルミ等の金属製の押出形材であり、ビスホール７１が一体に形成されている。
第二補強材７０は、第二中空部２５内に配置されて下框２０を補強可能な形状とされている。
また、第二補強材７０の形状は、戸車装置５０と干渉せず、かつ、ビスホール７１を一体成形可能な形状に設計されている。
第二補強材７０は、図２に示すように、内周側見込み片部２４から第二補強材７０にねじ込まれたネジ７５によって、下框２０に固定されている。ネジ７５は、ネジ６５と同様に、第二補強材７０の左右両端部の近傍の２箇所に設けられている。
【００２７】
［縦框（戸先框）］
縦框３０は、合成樹脂製の押出形材によって構成され、図４に示すように、屋外見付け片部３１と、屋内見付け片部３２と、外周側見込み片部３３と、内周側見込み片部３４とを有している。第一框材である縦框３０には、上框１０、下框２０と同様に、第一中空部３５と、溝部３６と、ガラスパネル５を保持するガラス保持溝３７とが形成されている。
【００２８】
外周側見込み片部３３は、断面略Ｕ字状に形成されて、屋外見付け片部３１および屋内見付け片部３２の外周側端縁部に連続して設けられている。また、外周側見込み片部３３と内周側見込み片部３４とは、屋内見付け片部３２に略平行に設けられた連結片部３９で連結されている。
縦框３０の第一中空部３５は、屋外見付け片部３１、外周側見込み片部３３、連結片部３９、内周側見込み片部３４で区画されている。
縦框３０の溝部３６は、外周側見込み片部３３で区画され、ガラス保持溝３７は、屋外見付け片部３１、屋内見付け片部３２、内周側見込み片部３４で区画される。
外周側見込み片部３３の溝部３６に面する面には、モヘアなどで構成されて窓枠２の縦枠に設けられたガイド片８に接触可能なタイト材３８が装着されている。
【００２９】
［縦框（召合せ框）］
縦框４０は、縦框３０と同様に、合成樹脂製の押出形材によって構成され、屋外見付け片部４１と、屋内見付け片部４２と、外周側見込み片部４３と、内周側見込み片部４４とを有している。第一框材である縦框４０には、第一中空部４５と、ガラスパネル５を保持するガラス保持溝４７とが形成されている。
縦框４０の第一中空部４５は、屋外見付け片部４１、屋内見付け片部４２、外周側見込み片部４３、内周側見込み片部４４で区画されている。
縦框４０のガラス保持溝４７は、屋外見付け片部４１、屋内見付け片部４２、内周側見込み片部４４で区画される。
【００３０】
なお、縦框３０、４０の見込み寸法（屋内外方向の寸法）は、上框１０、下框２０よりも大きくされている。そして、屋外見付け片部３１、４１の内周端部と、屋内見付け片部３２、４２の内周端部とには、上框１０、下框２０の端面（小口）が当接可能な当接面３１１、４１１と、３２１、４２１とが形成されている。また、屋外見付け片部３１、４１および屋内見付け片部３２、４２の内周端縁は、前記当接面３１１、４１１、３２１、４２１よりも突出され、上框１０、下框２０の端面と、当接面３１１、４１１、３２１、４２１との接合面が外部に露出しないように隠している。
【００３１】
［縦框の補強材］
縦框３０の第一中空部３５には、アルミやスチール等の金属製の部材で構成された補強材（第一補強材）８０が配置され、縦框４０の第一中空部４５には、アルミやスチール等の金属製の部材で構成された補強材（第一補強材）９０が配置されている。
第一補強材８０は、屋外見付け片部３１に沿って配置される屋外面部８１と、連結片部３９に沿って配置される屋内面部８２と、内周側見込み片部３４に沿って配置されて屋外面部８１および屋内面部８２の内周側端部を連結する連結面部８３とを備えている。第一補強材８０は第一中空部３５の形状に合わせて形成されており、屋外面部８１の見付け寸法は、屋内面部８２の見付け寸法よりも大きくされている。
第一補強材９０は、屋外見付け片部４１に沿って配置される屋外面部９１と、屋内見付け片部４２に沿って配置される屋内面部９２と、内周側見込み片部４４に沿って配置されて屋外面部９１および屋内面部９２の内周側端部を連結する連結面部９３とを備えている。第一補強材９０は第一中空部４５の形状に合わせて形成されており、屋外面部９１と屋内面部９２の見付け寸法は同じ寸法とされている。
【００３２】
各第一補強材８０、９０は、縦框３０、４０の第一中空部３５、４５内に配置され、図２、４に示すように、下端部近傍の位置で、内周側見込み片部３４、４４から連結面部８３、９３にねじ込まれたネジ８５で縦框３０、４０に固定されている。縦框３０、４０の上端側は、第一補強材８０、９０にネジで拘束されていないので、縦框３０、４０が熱伸縮した場合は、縦框３０、４０の上端は第一補強材８０、９０に対して上下に移動することができる。すなわち、第一框材である縦框３０、４０は、第一補強材８０、９０に対してネジ８５により１箇所で固定されており、熱伸縮可能に配置されている。
【００３３】
［障子の框組み構造］
本実施形態の障子３、４は、図２に示すように、第一框材である縦框３０、４０の上端部間および下端部間に、第二框材である上框１０および下框２０が配置されて縦勝ちに組まれている。
【００３４】
この際、図５に示すように、第一框材である縦框３０は、内周側見込み片部３４の上端部を切り欠くことで、第一補強材８０を露出させる開口部３４１が形成されている。なお、図示は省略するが、縦框３０の内周側見込み片部３４の下端部や、縦框４０の内周側見込み片部４４の上端部および下端部にも同様の開口部が形成されている。
これらの開口部３４１は、上框１０および下框２０の第二補強材６０、７０の小口に対向する部分に形成された切欠溝で構成され、図６、７にも示すように、第二補強材６０、７０の小口は、第一補強材８０、９０の連結面部８３、９３に当接されている。
また、縦框３０、４０の外周側見込み片部３３、４３には、前記第二補強材６０、７０のビスホール６１，７１にねじ込まれるネジ１００が挿通可能な穴３３３が形成され、第一補強材８０、９０の連結面部８３、９３には前記ネジ１００が挿通される穴８３３が形成されている。
【００３５】
このため、上框１０、下框２０、縦框３０、４０のガラス保持溝１７、２７、３７、４７に、ガラスパネル５を配置した状態で、上框１０、下框２０の小口（端面）を、縦框３０、４０の当接面３１１、４１１、３２１、４２１に当接させ、第二補強材６０、７０の小口を第一補強材８０、９０の連結面部８３、９３に当接させ、縦框３０、縦框４０の外周側から外周側見込み片部３３、４３に形成された穴３３３および第一補強材８０、９０に形成された穴８３３を通してビスホール６１、７１にネジ１００をねじ込むことで、縦框３０、４０間に、上框１０、下框２０が接合され、障子３が框組みされる。
また、図７に示すように、第二補強材６０と、第二補強材６０に対して上框１０の長手方向（上下方向）に対向する開口部３４１の底面（内周面）３４１Ａとの間には、隙間３４２が設けられている。
【００３６】
また、図２に示すように、縦框３０、４０の上端（小口）には、小口部品である戸先框用の上部摺動片３１０、召合せ框用の上部摺動片４１０がはめ込まれており、縦框３０、４０の下端（小口）には、小口部品である戸先框用の下部摺動片３２０、召合せ框用の下部摺動片４２０がはめ込まれている。
各摺動片３１０、３２０、４１０、４２０には、上框１０、下框２０に設けられた第二タイト材１８、２８に連続する第一タイト材が設けられている。例えば、上部摺動片３１０は、図７に示すように、上框１０の第二タイト材１８に連続するモヘアなどで構成された第一タイト材３１８が装着されている。第一タイト材３１８の上框１０側の端面は、第二タイト材１８の端面に密着している。他の摺動片３２０、４１０、４２０にも同様に第一タイト材が装着されている。
したがって、図７に示すように、上レール６に当接するタイト材は、上框１０に設けられた第二タイト材１８と、各摺動片３１０、４１０に設けられた第一タイト材３１８とで連続して設けられている。同様に、下レール７に当接するタイト材も、下框２０に設けられた第二タイト材２８と、各摺動片３２０、４２０に設けられた第一タイト材とで連続して設けられている。
【００３７】
［熱伸縮時の動作］
本実施形態において、温度環境が変化し、縦框３０、４０が熱伸縮した場合について説明する。
温度環境が常温等の初期設定範囲であれば、図７に示すように、縦框３０、４０は熱伸びせず、摺動片３１０、４１０に装着された第一タイト材３１８と、上框１０に装着された第二タイト材１８との高さ位置は一致している。
一方で、縦框３０、４０に直射日光が照射した等で温度環境が変化し、縦框３０、４０が熱で伸長した場合は、前述したように、縦框３０、４０は第二補強材６０、７０に対して下端部近傍においてネジ８５で固定されており、上端部側は固定されていないため、図８に示すように、縦框３０、４０が熱伸びした分だけ、縦框３０、４０の上端部および摺動片３１０、４１０は上方に移動する。
【００３８】
ここで、縦框３０、４０の上端側の開口部３４１の底面３４１Ａの移動量（熱伸長量）は、上部摺動片３１０の上方への移動量、つまり第二タイト材１８に対する第一タイト材３１８の移動量Ｈ１と同じである。この移動量Ｈ１は、縦框３０、４０において、第二補強材６０にネジ８５で固定された固定箇所から開口部３４１までの長さと、縦框３０、４０の熱膨張係数と、温度変化量とで計算できる。したがって、縦框３０、４０の温度がどの程度上昇するかを想定することで、前記移動量Ｈ１を予測できる。
【００３９】
縦框３０、４０の上端部に形成された開口部３４１は、縦框３０、４０が熱伸びした場合に、上框１０の第二補強材６０の下面に当接しないように設定されている。すなわち、図７に示すように、縦框３０、４０が熱伸びする前の状態で、第二補強材６０の下面から開口部３４１の底面３４１Ａまでの隙間３４２の寸法Ｌ１（縦框３０、４０の長手方向に沿った寸法つまり高さ寸法）は、縦框３０、４０で想定される前記移動量Ｈ１よりも大きな寸法に設定されている。このため、図８に示すように、縦框３０、４０が熱伸びした場合でも、第二補強材６０の下面から開口部３４１の底面３４１Ａまでに、所定のクリアランス寸法Ｌ２が確保されるように設定されている。
なお、縦框３０、４０の温度が初期設定範囲よりも低下して縦框３０、４０が縮んだ場合、開口部３４１の上端部側は開口されているので、第二補強材６０に干渉することがない。したがって、上部摺動片３１０の下面が第二補強材６０の上面に当接しないように設定すれば良い。このため、図７に示すように、上部摺動片３１０の下面と、第二補強材６０の上面との間には、縦框３０、４０の縮み量よりも大きな隙間寸法Ｌ３のクリアランスが形成されるようにされている。
【００４０】
第二タイト材１８、第一タイト材３１８の幅寸法Ｗ１を、第二タイト材１８に対する第一タイト材３１８の移動量Ｈ１よりも大きく設定することで、第二タイト材１８に対して第一タイト材３１８が移動しても、図８に示すように、第二タイト材１８の端面と第一タイト材３１８の端面との一部は密着状態を維持でき、連続したタイトラインを維持できる。
【００４１】
なお、前記ネジ８５の固定箇所から縦框３０、４０の下端側の開口部までの長さは短いため、温度変化が生じても、下端側の開口部の底面の移動量は小さい。このため、縦框３０、４０の下端側の開口部の内周面と、第二補強材７０との隙間の寸法は前記Ｌ１よりも小さく設定できる。このため、縦框３０、４０の下端側の開口部の高さ寸法、つまり開口部を構成する切欠溝の開口（縦框３０、４０の下端縁）から切欠溝の底面（切欠溝の上端）までの高さ寸法も、縦框３０、４０の上端部の開口部３４１の高さ寸法に比べて小さく設定できる。
【００４２】
［本実施形態の効果］
（１）第一框材である縦框３０、４０と、第二框材である上框１０、下框２０とは、第一補強材である第一補強材８０、９０と、第二補強材である第二補強材６０、７０とを直接当接させてネジ１００で連結しているので、各框同士を溶着する必要が無く、ガラスパネル５を配置するための押縁を設ける必要もない。このため、部材点数や組立工数を削減でき、組立ラインの自動化も容易になり、製造コストを低減できる。
また、框同士を溶着しないため、各框の小口を同一寸法に設定する必要が無く、各框は各部位に応じた見付け寸法で設計することができる。したがって、框の設計の自由度が高まり、上框１０、下框２０、縦框３０、４０の各見付け寸法を異ならせることもでき、各部位に適した寸法にできる。
このため、上框１０、下框２０、縦框３０、４０の見付け寸法を、各部位に必要な最小限の寸法に設定でき、ガラスパネル５の有効面積を最大限大きくした高い断熱性能を誇る障子３、４を提供することができる。
【００４３】
（２）第一補強材８０、９０と、第二補強材６０、７０とを直接当接させてネジ１００で連結しているので、接合部の強度がばらつくことを防止でき、経年劣化で強度が低下することも防止できる。
すなわち、各框同士を溶着する場合、各框の補強材同士は、Ｌ字状に折曲された連結部品を用いて連結する必要がある。この場合、接合部の強度は、連結部品の強度に依存してしまう。また、補強材同士をネジで連結する場合に、各補強材間に縦框の内周側見込み片部等の樹脂部分が介在した状態、つまり各補強材同士を直接当接させずにネジで連結した場合は、樹脂が潰されたり、経年劣化で樹脂が痩せた場合に接合部の強度が低下する。
これに対し、本実施形態では、第二補強材６０、７０と、第一補強材８０、９０とを直接当接させてネジ１００で連結しており、連結部品で接合する必要が無いため、接合部の強度にバラツキが生じることがない。また、内周側見込み片部３４、４４に開口部３４１を形成しており、第二補強材６０、７０と、第一補強材８０、９０との間に樹脂が介在しないため、樹脂が潰されたり、経年劣化で痩せることで生じる接合部の強度低下を防止できる。
このため、安価で品質の安定した樹脂製の障子３、４を提供でき、これらの障子３、４を用いた引違い窓１を提供できる。
【００４４】
（３）第一補強材８０、９０と、第二補強材６０、７０とを直接当接させてネジ１００で連結しているため、ネジ１００は縦框３０、４０の熱伸縮を拘束しない。したがって、縦框３０、４０と、第一補強材８０、９０とを、縦框３０、４０の下端部のみでネジ止めすれば、縦框３０、４０の上端部側は、第一補強材８０、９０や第二補強材６０、７０に対して拘束されず、自由に伸縮することができる。このため、温度環境が変化して縦框３０、４０が熱伸縮した場合、縦框３０、４０は上端部側が熱伸縮に伴い上下動することができる。したがって、縦框３０、４０がフリーにスライド（上下動）できるため、縦框３０、４０の反り変形を回避することができる。
さらに、内周側見込み片部３４、４４の開口部３４１の底面３４１Ａと、第二補強材６０との間に隙間３４２を設けているので、縦框３０、４０が熱伸縮した場合に、第二補強材６０にぶつからないように設定でき、この点でも縦框３０、４０のスライドを阻害せず、縦框３０、４０の反り変形を回避できる。
また、上框１０、下框２０は、両端側で第一補強材８０、９０にネジ止めされているが、縦框３０、４０に比べて短尺であり、熱伸縮量も小さく框の反り変形量も小さいため、窓枠２等に接触して障子３、４の開閉を阻害することはない。
【００４５】
（４）上部摺動片３１０、４１０に装着された第一タイト材３１８と、上框１０に装着された第二タイト材１８の幅寸法Ｗ１を熱伸縮量よりも大きく設定したので、縦框３０、４０が熱伸縮した場合でも第一タイト材３１８と、第二タイト材１８とは密着状態を維持でき、常時途切れないタイト構造を構築できる。このため、引違い窓１における水密・気密性能の低下を防止できる。
【００４６】
［変形例］
本発明は、以上の実施形態で説明した構成のものに限定されず、本発明の目的を達成できる範囲での変形例は、本発明に含まれる。
例えば、前記実施形態では、引違い窓１の障子３、４に本発明を適用していたが、片引き窓、上げ下げ窓等のスライディング系の各種窓の障子や、たてすべり出し窓、すべり出し窓、内倒し窓、外倒し窓等のスイング系の各種窓の障子や、ＦＩＸ窓等にも利用できる。
また、二本の第一框材間に、三本の第二框材を接合して障子を構成してもよいし、第一框材を三本設け、各第一框材間に第二框材を配置して障子を構成してもよい。
【００４７】
前記実施形態の障子３、４は、縦框３０、４０間に上框１０、下框２０が配置された縦勝ちの框組み構造であったが、上框、下框間に縦框が配置された横勝ちの框組み構造の障子に適用してもよい。
【００４８】
第一框材の小口に装着される小口部品は、摺動片に限らず、窓種等に応じて設定される。また、第一框材に設けられる第一タイト材も、小口部材に装着されるものに限らず、窓種によっては、第一框材に装着されるものでもよい。
さらに、窓枠側にタイト材を装着する場合には、第二框材や、第一框材、小口部材にタイト材を装着しなくてもよい。
【００４９】
第一框材と第一補強材とは、ネジ８５により１箇所で固定していたが、２箇所以上で固定してもよい。ただし、第一框材は、ネジ８５で固定された固定箇所で拘束されるため、第一框材の固定箇所間は熱変形することになる。したがって、熱変形量が小さくなるように、固定箇所間の寸法も短く設定する必要がある。
また、第一框材と第一補強材との固定箇所は、第一框材の一方の端部近傍（下端部近傍）に限らず、例えば、第一框材の長手方向の中央部でもよい。この場合、温度変化量に応じて、第一框材の両端部が同程度移動するため、各開口部と第二補強材との隙間の寸法も同程度の大きさに設定すればよい。
【００５０】
第一框材に形成される開口部は、前記実施形態のように、第一框材の小口側の端部が開口された切欠溝に限定されず、略矩形状の穴で形成してもよい。この場合、第二補強材と開口部の内周面との間には、第二補強材に対して第一框材の長手方向中央側に位置する隙間３４２と、第二補強材に対して第一框材の小口側に位置する隙間とが設けられる。隙間３４２の寸法（第一框材の長手方向に沿った寸法）は、第一框材の伸長量に応じて設定し、小口側の隙間の寸法は第一框材の縮み量に応じて設定すればよい。
【符号の説明】
【００５１】
３、４…障子（建具）、５…ガラスパネル、１０…上框（第二框材）、１８…第二タイト材、２０…下框（第二框材）、２８…第二タイト材、３０…縦框（第一框材）、４０…縦框（第一框材）、６０…第二補強材、６１…ビスホール、６５…ネジ、７０…第二補強材、７１…ビスホール、７５…ネジ、８０…第一補強材、８５…ネジ、９０…第一補強材、１００…ネジ、３１０…上部摺動片（小口部品）、３１８…第一タイト材、３２０…下部摺動片（小口部品）、３４１…開口部、３４１Ａ…底面（内周面）、３４２…隙間、４１０…上部摺動片（小口部品）、４２０…下部摺動片（小口部品）、８３３…穴、Ｈ１…移動量（熱伸縮量）、Ｌ１…隙間寸法、Ｌ２…クリアランス寸法、Ｌ３…隙間寸法、Ｗ１…幅寸法。
【図１】
2018048480.tif 000003
【図２】
2018048480.tif 000004
【図３】
2018048480.tif 000005
【図４】
2018048480.tif 000006
【図５】
2018048480.tif 000007
【図６】
2018048480.tif 000008
【図７】
2018048480.tif 000009
【図８】
2018048480.tif 000010